(57)【特許請求の範囲】
【請求項１】
呼制御装置とゲートキーパー装置とがネットワークを介して互いに接続される電話通信システムの通信管理方法において、
前記呼制御装置からの呼登録要求を受ける前記ゲートキーパー装置側で生成され記憶管理される登録ＩＤを、前記ゲートキーパー装置より取得した前記呼制御装置が、前記登録ＩＤを含む登録状態確認信号を、前記ゲートキーパー装置に対して、あらかじめ定められた時間間隔で送信するステップ、
前記ゲートキーパー装置は、前記呼制御装置からの前記登録状態確認信号に含まれる前記登録ＩＤが記憶装置に存在するか否か検索し、該検索結果を前記呼制御装置に返送するステップ、及び、
前記呼制御装置は、前記ゲートキーパー装置から受け取った前記検索結果の内容に基づき、前記ゲートキーパー装置に対する呼処理信号の送信の有無を制御するステップ、
を含む、ことを特徴とする通信管理方法。
【請求項２】
呼制御装置とゲートキーパー装置とがネットワークを介して互いに接続される電話通信システムの通信管理方法において、
（ａ）前記呼制御装置が、前記ゲートキーパー装置に対して、呼の登録要求を行うステップ、
（ｂ）前記ゲートキーパー装置は、前記呼制御装置からの呼の登録要求を受けて登録ＩＤを生成し、前記生成した登録ＩＤを前記記憶装置に記憶保存するとともに、前記呼制御装置の前記呼の登録要求に対して、前記登録ＩＤを含む応答信号を前記呼制御装置に返送するステップ、
（ｃ）前記呼制御装置は、前記ゲートキーパーから受け取った前記登録ＩＤを含む登録状態確認信号を、前記ゲートキーパー装置に対して送信するステップ、
（ｄ）前記ゲートキーパー装置は、前記呼制御装置から送信される前記登録状態確認信号を受けて、前記登録状態確認信号中の登録ＩＤが前記記憶装置に存在するか否かを検索し、検索結果を応答信号として、前記呼制御装置に返送するステップ、
（ｅ）前記呼制御装置は、前記ゲートキーパー装置から受け取った前記応答信号の内容が異常であることを示す場合に、前記ゲートキーパー装置に対する呼処理信号の送信停止を行うステップ、
を含み、
前記ステップ（ｃ）の前記呼制御装置による前記登録状態確認信号の送信処理は、あらかじめ定められた時間間隔で行われる、
ことを特徴とする通信管理方法。
【請求項３】
請求項１又は２に記載の通信管理方法において、
前記呼制御装置が、前記ゲートキーパー装置に対する呼処理信号の送信停止を行った状態において、
前記呼制御装置は、前記ゲートキーパー装置に送信した前記登録状態確認信号に対して正常な内容の応答信号を前記ゲートキーパー装置から受信した場合に、呼処理信号の送信開始を行うステップ、
を有する、ことを特徴とする通信管理方法。
【請求項４】
請求項１乃至３のいずれか一に記載の通信管理方法において、
前記呼制御装置と前記ゲートキーパー装置のうち一方が、前記検索結果を含んだ前記応答信号の内容が変更された場合に、応答信号に変更が生じた旨の変更情報を保守端末に伝達するステップを有する、ことを特徴とする通信管理方法。
【請求項５】
請求項１乃至４のいずれか一に記載の通信管理方法において、
前記呼制御装置が、前記ゲートキーパー装置に対して送信する前記登録状態確認信号に時間情報を付加し、
前記ゲートキーパー装置は、前記呼制御装置から受け取った前記登録状態確認信号に付加された前記時間情報に従い、前記記憶装置に記憶保持される前記登録ＩＤの蓄積を、タイマを用いて管理するステップ、
を有する、ことを特徴とする通信管理方法。
【請求項６】
請求項５記載の通信管理方法において、
前記タイマを用いて管理するステップが、
前記ゲートキーパー装置において、前記記憶装置に蓄積されている前記登録ＩＤに対応する前記呼制御装置からの登録状態確認信号の受信待ちの状況が、前記時間情報で規定される期間に及んだ場合に、前記ゲートキーパー装置は、前記記憶装置に蓄積されている前記登録ＩＤを削除する、ことを特徴とする通信管理方法。
【請求項７】
ゲートキーパー装置にネットワークを介して接続する呼制御装置において、
前記ゲートキーパー装置に対して呼の登録要求を行う手段と、
前記ゲートキーパー装置より受け取った登録ＩＤを含む信号を作成し、登録状態確認信号としてあらかじめ定められた時間間隔で前記ゲートキーパー装置に対して繰り返し送信する手段と、
前記登録状態確認信号に対する前記ゲートキーパー装置からの応答情報を受け取り、前記応答情報が、前記登録状態確認信号に付加した前記登録ＩＤが、前記ゲートキーパー装置の前記記憶装置に登録されていないことを示す場合には、異常と判定し、前記ゲートキーパー装置に対する呼処理信号の送信停止を行う手段と、
を備えている、ことを特徴とする呼制御装置。
【請求項８】
前記応答情報の内容が前記異常と判定された場合に、前記登録状態確認信号の送信は継続するように制御する手段を備えている、ことを特徴とする請求項７記載の呼制御装置。
【請求項９】
請求項７又は８に記載の呼制御装置において、
前記呼制御装置は、前記ゲートキーパー装置に対する呼処理信号の送信停止を行った状態においてあらかじめ定められた時間間隔で前記ゲートキーパー装置に対して繰り返し送信する前記登録状態確認信号に対して前記検索結果を含んだ前記応答信号の内容が正常であることを示すものとなった場合には、呼処理信号の送信開始を行う手段を備えている、ことを特徴とする呼制御装置。
【請求項１０】
請求項７乃至９のいずれか一に記載の呼制御装置において、前記ゲートキーパー装置から送信される前記応答信号の内容が、前に前記ゲートキーパー装置から送信された応答信号の内容と相違している場合に、応答信号に変更が生じた旨の変更情報を保守端末に伝達する手段を備えている、ことを特徴とする呼制御装置。
【請求項１１】
請求項７乃至１０のいずれか一に記載の呼制御装置において、
前記ゲートキーパー装置に送信する登録状態確認信号に、時間情報を付加する手段を備えている、ことを特徴とする呼制御装置。
【請求項１２】
呼制御装置にネットワークを介して接続するゲートキーパー装置において、
登録状態確認信号に対する応答信号の内容が、前に送信した応答信号の内容と異なるものとなる場合に、応答信号に変更が生じた旨の変更情報を保守端末に伝達する手段と、
前記呼制御装置から受け取った前記登録状態確認信号に付加された前記時間情報に従い、記憶装置に記憶保持される前記登録ＩＤの蓄積を、タイマを用いて管理する手段と、
を有する、ことを特徴とするゲートキーパー装置。
【請求項１３】
請求項１２に記載のゲートキーパー装置において、
前記タイマを用いて管理する手段が、
前記ゲートキーパー装置は、前記記憶装置に蓄積されている前記登録ＩＤに対応する前記呼制御装置からの登録状態確認信号の受信待ちの状況が、前記時間情報で規定される期間に及んだ場合に、前記記憶装置に蓄積されている前記登録ＩＤを削除する手段を有する、ことを特徴とするゲートキーパー装置。
【請求項１４】
ゲートキーパー装置にネットワークを介して接続される呼制御装置を構成するコンピュータに、
前記ゲートキーパー装置に対して呼の登録要求を行う処理と、
前記ゲートキーパー装置より受け取った登録ＩＤを含む信号を作成し、登録状態確認信号としてあらかじめ定められた間隔で前記ゲートキーパー装置に対して繰り返し送信する処理と、
前記登録状態確認信号に対する前記ゲートキーパー装置からの応答情報を受け取り、前記応答情報が、前記登録状態確認信号に付加した前記登録ＩＤが、前記ゲートキーパー装置の前記記憶装置に登録されていないことを示す場合には、異常と判定し、前記ゲートキーパー装置に対する呼処理信号の送信停止を行う処理と、
を実行させるプログラム。
【請求項１５】
請求項１４記載のプログラムにおいて、前記応答情報の内容が前記異常と判定された場合に、前記登録状態確認信号の送信は継続する処理を、前記呼制御装置を構成する前記コンピュータに実行させるプログラム。
【請求項１６】
請求項１４又は１５に記載のプログラムにおいて、前記呼制御装置を構成するコンピュータが前記ゲートキーパー装置に対する呼処理信号の送信停止を行った状態においてあらかじめ定められた時間間隔で前記ゲートキーパー装置に対して繰り返し送信する前記登録状態確認信号に対して前記検索結果を含んだ前記応答信号の内容が正常であることを示すものとなった場合には、呼処理信号の送信開始を行う処理を、前記呼制御装置を構成する前記コンピュータに実行させるプログラム。
【請求項１７】
請求項１４乃至１６のいずれか一に記載のプログラムにおいて、
ゲートキーパー装置から送信される前記応答信号の内容が、前に前記ゲートキーパー装置から送信された応答信号の内容と相違している場合に、応答信号に変更が生じた旨の変更情報を保守端末に伝達する処理を、前記呼制御装置を構成する前記コンピュータに実行させるプログラム。
【請求項１８】
請求項１４乃至１７のいずれか一に記載のプログラムにおいて、
前記ゲートキーパー装置に送信する登録状態確認信号に、時間情報を付加する処理を、前記呼制御装置を構成する前記コンピュータに実行させるプログラム。
【請求項１９】
呼制御装置にネットワークを介して接続するゲートキーパー装置を構成するコンピュータに、
前記呼制御装置より受け取った登録状態確認信号に対する応答信号の内容が、前に送信した応答信号の内容と異なるものとなる場合に、応答信号に変更が生じた旨の変更情報を保守端末に伝達する処理を実行させるプログラム。
【請求項２０】
請求項１９に記載のプログラムにおいて、
前記呼制御装置から受け取った前記登録状態確認信号に付加された前記時間情報に従い、前記記憶装置に記憶保持される前記登録ＩＤの蓄積を、タイマを用いて管理する処理を、前記ゲートキーパー装置を構成するコンピュータに実行させるプログラム。
【請求項２１】
請求項１９又は２０に記載のプログラムにおいて、
前記ゲートキーパー装置の、前記記憶装置に蓄積されている前記登録ＩＤに対応する前記呼制御装置からの登録状態確認信号の受信待ちの状況が、前記時間情報で規定される期間に及んだ場合に、前記記憶装置に蓄積されている前記登録ＩＤを削除する処理を、前記ゲートキーパー装置を構成するコンピュータに実行させるプログラム。
【発明の詳細な説明】
【０００１】
【発明の属する技術分野】
本発明は、呼制御装置及び呼制御装置を用いた通信管理方法に関し、特にネットワークを介したテレコミュニケーションシステムにおける装置、通信管理方法及びプログラムに関する。
【０００２】
【従来の技術】
国際電気通信連合（ＩＴＵ）勧告Ｈ．３２３では、インターネット、イントラネットに代表されるネットワークと公衆電話交換網間の接続を可能とする仕様が規定されている。近時、ネットワークと公衆電話交換網（ＰＳＴＮ）間の相互通信を実現するテレフォニー（電話）システムとして、ゲートキーパー装置を中核としたネットワークシステムが実用化されつつある。
【０００３】
ゲートキーパー装置は、インターネットプロトコル（ＩＰ）網等において、端末（端末としては、後述される「呼制御装置」も含む）のネットワークアドレス（ＩＰアドレス）や電話番号、帯域幅等の情報を管理し、電話番号とネットワークアドレスのアドレス変換や認証制御（登録・確認）、帯域幅制御、課金管理等の制御を行う。
【０００４】
ネットワーク内のＨ．３２３端末と公衆電話交換網の加入者端末を相互に接続するための信号変換処理、番号変換処理等を行う呼制御装置もすでに用いられている。例えば特開平１１−６８８５１号公報には、相互接続装置なる電話番号とアドレスとを問い合わせ／応答によって相互にやり取りするための変換機能を有する装置を設けることにより、通信資源を効率良く利用できるという経路制御通信システムが示されている。
【０００５】
【発明が解決しようとする課題】
ところで、ゲートキーパー装置の管理する呼の登録情報等の状態を継続的に検知する機能を具備した呼制御装置はいまだ実現されていない、というのが実情である。
【０００６】
また、ゲートキーパー装置も通信中の呼制御装置に対して、ゲートキーパー装置が管理する呼の登録情報と、呼処理の状態の一致／不一致を通知するという構成のものも実現されていない。このため、従来のシステムにおいて、ゲートキーパー装置の管理する呼の登録情報と呼処理の状態の不一致が生じた場合に、呼制御装置は、当該異常の発生にもかかわらず、呼処理信号を送信し続ける、という不都合が生じる。
【０００７】
さらに、ゲートキーパー装置に保存されている呼の登録情報と呼処理の状態の不一致の原因が解決され、障害から復旧した場合にも、呼制御装置は、当該ゲートキーパー装置における障害からの復旧をただちに認識することはできず、このため、呼接続要求を速やかに再開することができない。
【０００８】
さらにまた、従来のシステムにおいては、ゲートキーパー装置が管理する呼の登録情報と、呼処理の状態の不一致を迅速に伝達するための機能、手段を欠いているため、不一致による障害が発生した場合、障害原因の特定に時間を要し、システム保守のための作業工数、監視のための負担が増大する、という問題点を有している。
【０００９】
そして、従来のシステムにおいては、呼制御装置のシステムダウンや通信経路の障害等の発生時、呼制御装置から登録解除要求が行われないため、ゲートキーパー装置が呼制御装置の状態を確認することができず、登録を維持し続けることになる。このため、ゲートキーパー装置の管理する登録情報や課金情報等の整合性に問題が生じる可能性があった。
【００１０】
したがって、本発明が解決しようとする課題は、ゲートキーパーと呼制御装置を有するシステムにおいて、呼制御装置による呼処理信号の送信・停止の時期を的確なものとし、通信の効率化を図る方法、システム、装置及びプログラムを提供することにある。
【００１１】
【課題を解決するための手段】
前記課題を解決するための手段を提供する本発明の第１の視点によれば、下記の通信管理方法が提供される。即ち、この方法は、呼制御装置とゲートキーパー装置とがネットワークを介して互いに接続される電話通信システムの通信管理方法において、前記呼制御装置からの呼登録要求を受ける前記ゲートキーパー装置側で生成され記憶管理される登録ＩＤを、前記ゲートキーパー装置より取得した前記呼制御装置が、前記登録ＩＤを含む登録状態確認信号を、前記ゲートキーパー装置に対して、あらかじめ定められた時間間隔で送信するステップ、前記ゲートキーパー装置は、前記呼制御装置からの前記登録状態確認信号に含まれる前記登録ＩＤが前記記憶装置に存在するか否か検索し、該検索結果を前記呼制御装置に返送するステップ、及び、前記呼制御装置は、前記ゲートキーパー装置から受け取った前記検索結果の内容に基づき、前記ゲートキーパー装置に対する呼処理信号の送信の有無を制御するステップ、を含むことを特徴とする。
本発明の第１の視点に係る前記通信管理方法において、（ａ）前記呼制御装置が、前記ゲートキーパー装置に対して、呼の登録要求を行うステップ、（ｂ）前記ゲートキーパー装置は、前記呼制御装置からの呼の登録要求を受けて登録ＩＤを生成し、前記生成した登録ＩＤを前記記憶装置に記憶保存するとともに、前記呼制御装置の前記呼の登録要求に対して、前記登録ＩＤを含む応答信号を前記呼制御装置に返送するステップ、（ｃ）前記呼制御装置は、前記ゲートキーパーから受け取った前記登録ＩＤを含む登録状態確認信号を、前記ゲートキーパー装置に対して送信するステップ、（ｄ）前記ゲートキーパー装置は、前記呼制御装置から送信される前記登録状態確認信号を受けて、前記登録状態確認信号中の登録ＩＤが前記記憶装置に存在するか否かを検索し、検索結果を応答信号として、前記呼制御装置に返送するステップ、（ｅ）前記呼制御装置は、前記ゲートキーパー装置から受け取った前記応答信号の内容が異常であることを示す場合に、前記ゲートキーパー装置に対する呼処理信号の送信停止を行うステップ、を含み、前記ステップ（ｃ）の前記呼制御装置による前記登録状態確認信号の送信処理は、あらかじめ定められた時間間隔で行われることを特徴とする。
本発明の前記第１の視点に係る前記通信管理方法において、前記呼制御装置が、前記ゲートキーパー装置に対する呼処理信号の送信停止を行った状態において、前記呼制御装置は、前記ゲートキーパー装置に送信した前記登録状態確認信号に対して正常な内容の応答信号を前記ゲートキーパー装置から受信した場合に、呼処理信号の送信開始を行うステップを含むようにしてもよい。
また本発明の前記第１の視点に係る前記通信管理方法において、前記呼制御装置と前記ゲートキーパー装置のうち一方が、前記検索結果を含んだ前記応答信号の内容が変更された場合に、応答信号に変更が生じた旨の変更情報を保守端末に伝達するステップを含むようにしてもよい。
また本発明の前記第１の視点に係る前記通信管理方法において、前記呼制御装置が、前記ゲートキーパー装置に対して送信する前記登録状態確認信号に時間情報を付加し、前記ゲートキーパー装置は、前記呼制御装置から受け取った前記登録状態確認信号に付加された前記時間情報に従い、前記記憶装置に記憶保持される前記登録ＩＤの蓄積を、タイマを用いて管理するステップを含むようにしてもよい。
また本発明の前記第１の視点に係る前記通信管理方法において、前記タイマを用いて管理するステップが、前記ゲートキーパー装置において、前記記憶装置に蓄積されている前記登録ＩＤに対応する前記呼制御装置からの登録状態確認信号の受信待ちの状況が、前記時間情報で規定される期間に及んだ場合に、前記ゲートキーパー装置は、前記記憶装置に蓄積されている前記登録ＩＤを削除するようにしてもよい。
【００１２】
また、本発明の第２の視点によれば、下記の呼制御装置が提供される。即ち、本発明の第２の視点に係る呼制御装置は、ゲートキーパー装置にネットワークを介して接続する呼制御装置において、前記ゲートキーパー装置に対して呼の登録要求を行う手段と、前記ゲートキーパー装置より受け取った登録ＩＤを含む信号を作成し、登録状態確認信号としてあらかじめ定められた時間間隔で前記ゲートキーパー装置に対して繰り返し送信する手段と、前記登録状態確認信号に対する前記ゲートキーパー装置からの応答情報を受け取り、前記応答情報が、前記登録状態確認信号に付加した前記登録ＩＤが、前記ゲートキーパー装置の前記記憶装置に登録されていないことを示す場合には、異常と判定し、前記ゲートキーパー装置に対する呼処理信号の送信停止を行う手段とを備えている。
また本発明の第２の視点に係る呼制御装置は、前記応答情報の内容が前記異常と判定された場合に、前記登録状態確認信号の送信は継続するように制御する手段を備えた構成としてもよい。
また本発明の第２の視点に係る呼制御装置は、前記ゲートキーパー装置に対する呼処理信号の送信停止を行った状態において、あらかじめ定められた時間間隔で前記ゲートキーパー装置に対して繰り返し送信する前記登録状態確認信号に対して前記検索結果を含んだ前記応答信号の内容が正常であることを示すものとなった場合には、呼処理信号の送信開始を行う手段を備えた構成としてもよい。
本発明の第２の視点に係る呼制御装置は、前記ゲートキーパー装置から送信される前記応答信号の内容が、前に前記ゲートキーパー装置から送信された応答信号の内容と相違している場合に、応答信号に変更が生じた旨の変更情報を、保守端末に伝達する手段を備えた構成としてもよい。
本発明の第２の視点に係る呼制御装置は、前記ゲートキーパー装置に送信する登録状態確認信号に、時間情報を付加する手段を備えた構成としてもよい。
【００１３】
また、本発明の第３の視点によれば、下記のゲートキーパー装置が提供される。即ち、本発明の第３の視点に係るゲートキーパー装置は、呼制御装置にネットワークを介して接続するゲートキーパー装置において、前記登録状態確認信号に対する応答信号の内容が、前に送信した応答信号の内容と異なるものとなる場合に、応答信号に変更が生じた旨の変更情報を保守端末に伝達する手段を備えていることを特徴とする。
また本発明の第３の視点に係るゲートキーパー装置は、前記呼制御装置から受け取った前記登録状態確認信号に付加された前記時間情報に従い、記憶装置に記憶保持される前記登録ＩＤの蓄積を、タイマを用いて管理する手段を有する構成としてもよい。
また本発明の第３の視点に係るゲートキーパー装置は、前記時間カウンタを用いて管理する手段が、前記ゲートキーパー装置は、前記記憶装置に蓄積されている前記登録ＩＤに対応する前記呼制御装置からの登録状態確認信号の受信待ちの状況が、前記時間情報で規定される期間に及んだ場合に、前記記憶装置に蓄積されている前記登録ＩＤを削除する手段を有する構成としてもよい。
【００１４】
また、本発明の第４の視点によれば、下記のプログラムが提供される。即ち、本発明の第４の視点に係るプログラムは、ゲートキーパー装置にネットワークを介して接続される呼制御装置を構成するコンピュータに、前記ゲートキーパー装置に対して呼の登録要求を行う処理と、前記ゲートキーパー装置より受け取った登録ＩＤを含む信号を作成し、登録状態確認信号としてあらかじめ定められた間隔で前記ゲートキーパー装置に対して繰り返し送信する処理と、前記登録状態確認信号に対する前記ゲートキーパー装置からの応答情報を受け取り、前記応答情報が、前記登録状態確認信号に付加した前記登録ＩＤが、前記ゲートキーパー装置の前記記憶装置に登録されていないことを示す場合には、異常と判定し、前記ゲートキーパー装置に対する呼処理信号の送信停止を行う処理と、を実行させることを特徴とする。
また本発明の第４の視点に係るプログラムは、前記応答情報の内容が前記異常と判定された場合に、前記登録状態確認信号の送信は継続する処理を、前記呼制御装置を構成する前記コンピュータに、実行させるようにしてもよい。
また本発明の第４の視点に係るプログラムは、前記呼制御装置を構成するコンピュータが前記ゲートキーパー装置に対する呼処理信号の送信停止を行った状態において、あらかじめ定められた時間間隔で前記ゲートキーパー装置に対して繰り返し送信する前記登録状態確認信号に対して前記検索結果を含んだ前記応答信号の内容が正常であることを示すものとなった場合には、呼処理信号の送信開始を行う処理を、前記呼制御装置を構成する前記コンピュータに、実行させるようにしてもよい。
また本発明の第４の視点に係るプログラムは、前記ゲートキーパー装置から送信される前記応答信号の内容が、前に前記ゲートキーパー装置から送信された応答信号の内容と相違している場合に、応答信号に変更が生じた旨の変更情報を保守端末に伝達する処理を、前記呼制御装置を構成する前記コンピュータに、実行させるようにしてもよい。
また本発明の第４の視点に係るプログラムは、前記ゲートキーパー装置に送信する登録状態確認信号に、時間情報を付加する処理を、前記呼制御装置を構成する前記コンピュータに、実行させるようにしてもよい。
【００１５】
また、本発明の第５の視点によれば、下記のプログラムが提供される。即ち、本発明の第５の視点に係るプログラムは、呼制御装置にネットワークを介して接続するゲートキーパー装置を構成するコンピュータに、前記呼制御装置より受け取った登録状態確認信号に対する応答信号の内容が、前に送信した応答信号の内容と異なるものとなる場合に、応答信号に変更が生じた旨の変更情報を保守端末に伝達する処理を実行させるようにしてもよい。
【００１６】
また、本発明の第５の視点によれば、前記呼制御装置から受け取った前記登録状態確認信号に付加された前記時間情報に従い、前記記憶装置に記憶保持される前記登録ＩＤの蓄積を、タイマを用いて管理する処理を、前記ゲートキーパー装置を構成するコンピュータに実行させるようにしてもよい。
【００１７】
また、本発明の第５の視点によれば、前記プログラムにおいて、前記ゲートキーパー装置としてのコンピュータに、前記ゲートキーパー装置の、前記記憶装置に蓄積されている前記登録ＩＤに対応する前記呼制御装置からの登録状態確認信号の受信待ちの状況が、前記時間情報で規定される期間に及んだ場合に、前記記憶装置に蓄積されている前記登録ＩＤを削除する処理を実行させるようにしてもよい。
【００１８】
【発明の実施の形態】
以下、本発明の第１の実施の形態について説明する。図１は、本発明の第１の実施の形態のネットワーク構成を示す図である。図１を参照すると、本発明の実施形態に係るネットワークは、端末１２０と、呼制御装置１００と、端末及び呼制御装置の登録ＩＤを管理するゲートキーパー装置１１０と、がネットワークで相互に接続されている。さらに、図１には、３種の端末が示されているが、本発明において、端末の台数、種類等はかかる構成に限定されるものでないことは勿論である。
【００１９】
図２は、図１に示した呼制御装置１００の構成を示す図である。図２を参照して、本発明の第１の実施の形態の呼制御装置１００の構成を以下に説明する。呼制御装置１００は、制御手段１００ｂ、内部記憶装置１００ａ、信号送信手段１００ｃ、信号受信手段１００ｄ、ネットワークインターフェイス１００ｅからなるネットワーク内の端末と公衆電話交換網の加入者端末を接続するための呼処理信号処理を行う処理手段である。特に本発明との関連では、主として、ゲートキーパー装置１１０に対して、登録を開始し接続を確立する様、呼の登録要求を行い、登録を終了し接続を開放する様、呼の接続解除要求を行う。呼制御装置１００の形態は、前記仕様を満たす限り特に限定されないが、特に大規模ネットワークにおいては、多くの呼（コール）を処理する必要があるため、高機能サーバに上記処理を行わせるようなプログラムを備えることで、より好ましい形態をとることができる。
【００２０】
信号送信手段１００ｃ、信号受信手段１００ｄは、公衆電話交換網側としてＮｏ．７共通線信号方式（ＳＳ７）、ＩＳＵＰプロトコル（ＩＳＤＮ  Ｕｓｅｒ  Ｐａｒｔ  Ｐｒｏｔｏｃｏｌ）、ネット−ワーク側としてはＨ．３２３、ＳＧＣＰ（Ｓｉｍｐｌｅ  Ｇａｔｅｗａｙ  Ｃｏｎｔｒｏｌ  Ｐｒｏｔｏｃｏｌ）、ＭＧＣＰ（Ｍｅｄｉａ  Ｇａｔｅｗａｙ  Ｃｏｎｔｒｏｌ  Ｐｒｏｔｏｃｏｌ）等の複数のプロトコルに準拠したインターフェイスを備えている。ここでは、ネットワーク側のプロトコルとしてＩＰ（Ｉｎｔｅｒｎｅｔ  Ｐｒｏｔｏｃｏｌ）網のゲートウェイ制御プロトコルを示しているが、ＩＰ網以外のネットワークにおいても同等のプロトコルのインターフェイスに準拠していればよい。
【００２１】
前記構成により、呼制御装置１００は、ネットワークインターフェイスを介してネットワーク側では呼処理信号処理を行うノードであり、公衆電話交換網側では加入者交換機と同様のサービス（信号交換、番号交換等）を提供する処理手段となっている。
【００２２】
本実施の形態では、呼制御装置１００は、第１の記憶装置１０１に接続され、第１の記憶装置１０１はデータを登録する保守端末１０２に接続されている。その理由は、呼制御装置１００及び保守端末１０２によるアクセス速度を確保し、ネットワークの障害を回避する点から好ましいからである。当然ながら、第１の記憶装置１０１及び保守端末１０２は、前述のようにネットワーク上に存在するノードとしてもよく、あるいは、呼制御装置１００の周辺機器として設けてもよく、その形態は限定されない。
【００２３】
即ち、第１の記憶装置１０１は、少なくとも項目として、管理下にあるゲートキーパー装置のネットワークアドレス及び登録状態確認信号（以下、キープアライブ信号と呼ぶ）の送信時間間隔情報を記憶保存していれば足りる。本実施の形態では、データベースの形で記憶保存している。その理由は、検索・更新等の管理の簡便性が図れるためである。
【００２４】
また、保守端末１０２は、第１の記憶装置１０１に管理されているゲートキーパー装置のネットワークアドレス及びキープアライブ信号の送信時間間隔情報等を更新する端末であるが、前記データを必要に応じて更新できれば足りる。図１、図２では、呼制御装置１００を介して接続されているが、第１の記憶装置１０１にアクセス可能な構成としてあればよく、その形態は限定されない。
【００２５】
図３は、図１に示したゲートキーパー装置１１０の構成を示す図である。図３を参照して、本発明の第１の実施の形態のゲートキーパー装置１１０の構成を以下に説明する。ゲートキーパー装置１１０は、制御手段１１０ｂ、内部記憶装置１１０ａ、信号送信手段１１０ｃ、信号受信手段１１０ｄ、ネットワークインターフェイス１１０ｅが備えられるほか、ゲートキーパー装置としての機能を確保するために、例えば、各端末１２０（呼制御装置１００も含む）の電話番号とネットワークアドレスの変換を行うアドレス変換（アドレス解決）機能部が少なくとも設けられている。このほか、帯域幅等の情報を管理する帯域管理機能部、認証制御（登録・確認）による課金管理機能部、その他付加サービス機能を提供する付加サービス機能部等が設けられることが好ましい。また、ゲートキーパー装置１１０は、登録を受け付けた呼制御装置等の情報を記憶保存した第２の記憶装置１１１にアクセス可能となっている。
【００２６】
上記構成をとることにより、ゲートキーパー装置１１０は、各端末１２０（呼制御装置１００も含む）のネットワークアドレスや電話番号、帯域幅等の情報を管理し、アドレス変換や認証制御（登録・確認）、帯域幅制御、課金管理等を行う処理手段となっている。特に本発明との関連では、主として、呼制御装置１００から呼の登録要求を受け付けた場合には、呼の登録を開始し呼の接続を確立し、呼の接続解除要求を受けた場合には、呼の登録を終了し、呼の接続を開放する処理を行う。ゲートキーパー装置１１０の形態は、前記仕様を満たす限り限定されないが、特に大規模ネットワークにおいては、多くの呼（コール）を管理する必要があるため、高機能サーバに上記処理を行わせるようなプログラムを備えることで、より好ましい形態をとることができる。
【００２７】
第２の記憶装置１１１は、登録情報として少なくとも接続要求を受け付けた呼制御装置の登録ＩＤを記憶保存する。本実施の形態では、データベースの形で記憶保存している。その理由は、多数の呼の検索・更新等の管理を行う観点から好ましいためである。
【００２８】
各端末は、あらかじめ定められた１以上のネットワークのプロトコルに準拠していればよく、パソコンやインターネット電話装置など端末機能を有する機器である。例えば、ネットワークプロトコルがＨ．３２３プロトコルと定められている場合には、各端末は、少なくともＨ．３２３に準拠した機器となる。
【００２９】
本発明は、以上のように構成されており、以下その作用について図４乃至図８のフローチャート及びシーケンス図に基づき本実施の形態の作用について説明する。
【００３０】
図４は、呼制御装置１００がゲートキーパー装置１１０に呼の登録要求し、呼の接続が確立するまでにおける処理の流れを示したフローチャートである。図６は、その間における呼制御装置１００とゲートキーパー装置１１０間の通信の流れを示したものである。
【００３１】
登録ＩＤとは、ゲートキーパー装置が付与する呼制御装置１００及びゲートキーパー装置１１０が第２の記憶装置に登録されている呼（コール）を自他識別できる全体的に一意なコードである。全体的に一意なコードであるかぎり、登録ＩＤは、あらかじめ作成されたものでもよく、必ずしも以下に示される第１の実施の形態のようにゲートキーパー装置が作成することを要しない。
【００３２】
以下、図４及び図６を参照して説明する。呼制御装置１００は、運用の開始時やシステムの初期化が発生した場合、第１の記憶装置に登録されているゲートキーパー装置１１０を選択し、必要な情報を第１の記憶装置１０１から取得し（ステップｓ２０１）、ゲートキーパー装置１１０に対して登録要求信号を送信する（ステップｓ２０２）。前記登録要求信号を受信したゲートキーパー装置１１０は、呼登録を受け付ける場合には（ステップｓ２０３）、登録ＩＤを作成し、第２の記憶装置に登録をして（ステップｓ２０４）、登録ＩＤ２０５ａを付加した応答信号を呼制御装置１００へ返送する（ステップｓ２０５）。登録要求信号に対する応答信号を受信した呼制御装置１００は、ゲートキーパー装置１１０に対して、第１の記憶装置１０１にあらかじめ登録されている信号の送信時間間隔情報を取得し（ステップｓ２０６）、登録ＩＤ２０５ａを付加したキープアライブ信号２０７ａの送信を開始する（ステップｓ２０７）。登録ＩＤ２０５ａが付加されているキープアライブ信号２０７ａを受信したゲートキーパー装置１１０は、キープアライブ信号２０７ａに付加されている登録ＩＤ２０５ａを検索キーにして、第２の記憶装置１１１の検索を行う（ステップｓ２０８）。ゲートキーパー装置１１０は、検索した結果、該当登録ＩＤが検索される場合には正常と判定し、検索結果が正常であることを示す応答信号２１０ａを呼制御装置１００へ送信する（ステップｓ２１０）。検索結果が正常であることを示す応答信号２１０ａを受信した呼制御装置１００は、ゲートキーパー装置１１０に対して登録ＩＤ２０５ａが付加されているキープアライブ信号２０７ａのゲートキーパー装置１１０に対する送信は継続するとともに、ゲートキーパー装置１１０に対して呼処理信号の送信を開始する（ステップｓ２１１）。ゲートキーパー装置１１０は、検索した結果、該当登録ＩＤが検索できない場合には異常と判定し、検索結果が異常であることを示す応答信号２０９ａを呼制御装置１００へ送信する（ステップｓ２０９）。検索結果が異常であることを示す応答信号２０９ａを受信した呼制御装置１００は、ゲートキーパー装置１１０に対して呼処理信号の送信の開始は行わない。このため、呼制御装置１００が無用な呼処理信号処理を行わないよう制御が可能となる。なお、ゲートキーパー装置１１０に対するキープアライブ信号２０７ａの送信は、継続することが好ましい。その理由は、次に述べる復旧処理が可能となるからである。
【００３３】
前記ステップ（ステップｓ２０１）からステップ（ステップｓ２１１）を、それぞれ呼制御装置１００及びゲートキーパー装置を構成するコンピュータに実行させるプログラムによってその機能・処理が実現される。この場合、当該プログラムを記録した記憶媒体より該プログラムをそれぞれのコンピュータの主記憶装置にロードして実行することで本発明を実施することができる。
【００３４】
図５は、呼制御装置１００がゲートキーパー装置１１０に登録要求し、接続が確立した後、第２の記憶装置１１１の検索結果が異常と判定された場合及び、異常原因が解決され復旧する場合における処理の流れを示したフローチャートである。図７、図８は、その間における呼制御装置１００とゲートキーパー装置１１０間の通信の流れを示したものである。
【００３５】
以下、図５、図７及び図８を参照して説明する。接続確立後も呼制御装置１００は、ゲートキーパー装置１１０に対して第１の記憶装置１０１にあらかじめ登録されている送信時間間隔情報の時間間隔で、登録ＩＤ２０５ａを付加したキープアライブ信号２０７ａの送信を継続する（ステップｓ３０１）。ゲートキーパー装置１１０は、登録ＩＤ２０５ａを付加したキープアライブ信号２０７ａに対して、受信した登録ＩＤ２０５ａを検索キーにして、第２の記憶装置１１１の検索を行う（ステップｓ３０２）。ゲートキーパー装置１１０は、検索した結果、該当登録ＩＤが検索できない場合には異常と判定し、検索結果が異常であることを示す応答信号応答信号３０５ａを呼制御装置１００へ送信する（ステップｓ３０５）。呼制御装置１００は、応答信号３０５ａを受信した場合、ゲートキーパー装置１１０に対する呼処理信号の送信停止を行う（ステップｓ３０６）。さらに、呼制御装置１００又はゲートキーパー装置１１０は、通信状態に障害が発生したことをシステム保守端末１０２に通知する（ステップｓ３０７）。その後、呼制御装置１００は、登録ＩＤ２０５ａが付加されているキープアライブ信号２０７ａを、継続してあらかじめ定められた時間間隔で送信する（ステップｓ３０９）。呼制御装置１００より継続して送信されるキープアライブ信号２０７ａに対して、ゲートキーパー装置１１０の異常状態が継続する限り、ゲートキーパー装置１１０は、検索結果が異常であることを示す応答信号３０５ａを送信することになるが、呼制御装置１００は、応答信号３０５ａが異常を示すものである限り、ゲートキーパー装置１１０に対する呼処理信号の送信の再開は行わない。呼制御装置１００が継続的に登録ＩＤを付加したキープアライブ信号２０７ａを送信している状態において、第２の記憶装置１１１に記憶保存された登録ＩＤに更新が加えられるなどして復旧した場合（ステップｓ３０８）、ゲートキーパー装置１１０は、登録ＩＤが付加されているキープアライブ信号２０７ａを受信した後、該信号に付加されている登録ＩＤ２０５ａを検索キーにして、第２の記憶装置１１１の検索を行い（ステップｓ３１０）、検索した結果、該当登録ＩＤが検索できる場合には正常と判定し、検索結果が正常であることを示す応答信号３１１ａを呼制御装置１００へ送信する（ステップｓ３１１）。呼制御装置１００は、応答信号３１１ａを受信した後、ゲートキーパー装置１１０に対する呼処理信号の送信再開を行う（ステップｓ３１２）。あわせて、呼制御装置１００又はゲートキーパー装置１１０は、登録ＩＤを付加したキープアライブ信号２０７ａに対する検索結果に変更が生じた旨をシステム保守端末１０２へ伝達する（ステップｓ３１３）。
【００３６】
前記ステップ（ステップｓ３０１）からステップ（ステップｓ３１３）を、それぞれ呼制御装置１００及びゲートキーパー装置を構成するコンピュータに実行させるプログラムによってその機能・処理が実現される。この場合、当該プログラムを記録した記憶媒体より該プログラムをそれぞれのコンピュータの主記憶装置にロードして実行することで本発明を実施することができる。
【００３７】
上記のとおり、本発明の第１の実施の形態においては、呼制御装置１００は、ゲートキーパー装置１１０にキープアライブ信号を継続的に繰り返し送信し、応答を受け取る方法を採用したことで、ゲートキーパー装置１１０の管理する登録ＩＤに異常が発生した場合に、ただちに呼処理信号の送信停止が可能となり、復旧した場合には、速やかに呼接続の手続きの再開をすることができる。
【００３８】
さらに、システム保守の面からも、キープアライブ信号に対する応答が変更した旨の情報を速やかにシステム保守端末に伝達することができ、システムの監視負担を軽減することができる。その理由は、呼制御装置１００又はゲートキーパー装置１１０が、キープアライブ信号に対する応答の変更を伝達する手段を有するためである。
【００３９】
次に、本発明の第２の実施の形態について説明する。
図１２を参照すると、第２の実施の形態のネットワーク構成及び各装置の構成は基本的には第１の実施の形態と同様であるが、ゲートキーパー装置１１０はタイマを備えている。
【００４０】
図９は、呼制御装置１００がゲートキーパー装置１１０に登録要求し、接続が確立するまでにおける処理の流れを示したフローチャートである。図１１は、その間における呼制御装置１００とゲートキーパー装置１１０間の通信の流れを示したものである。
【００４１】
以下、図９、図１１を参照して説明する。呼制御装置１００は、運用の開始時やシステムの初期化が発生した場合、第１の記憶装置に登録されているゲートキーパー装置１１０を選択し、必要な情報を第１の記憶装置から取得し（ステップｓ５０１）、ゲートキーパー装置１１０に対して登録要求信号を送信する（ステップｓ５０２）。登録要求信号を受信したゲートキーパー装置１１０は、登録が可能な状態であれば（ステップｓ５０３）、登録ＩＤを作成し、登録要求を受けた呼制御装置１００の情報を第２の記憶装置に登録をして（ステップｓ５０４）、登録ＩＤ５０５ａを付加した応答信号を呼制御装置へ送信するとともに、タイマを作動させる（ステップｓ５０５）。登録要求信号に対する応答信号を受信した呼制御装置１００は、ゲートキーパー装置１１０に対して、第１の記憶装置１０１にあらかじめ登録されている信号の送信時間間隔情報を取得し（ステップｓ５０６）、登録ＩＤ５０５ａ及びあらかじめ定められた時間情報（タイムスタンプ）５０７ｔを付加したキープアライブ信号５０７ａの送信を開始する（ステップｓ５０７）。登録時間５０７ｔ以内に、登録ＩＤ５０５ａが付加されているキープアライブ信号５０７ａを受信したゲートキーパー装置１１０は、信号５０７ａに付加されている登録ＩＤ５０５ａを検索キーにして、第２の記憶装置１１１の検索を行う（ステップｓ５０８）。次にゲートキーパー装置１１０は、検索した結果、該当登録ＩＤが検索できる場合には正常と判定し、検索結果が正常であることを示す応答信号５１０ａを呼制御装置１００へ送信する（ステップｓ５１０）とともに、呼制御装置のための登録タイマを初期化する（ステップｓ５１１）。応答信号５１０ａを受信した呼制御装置１００は、登録ＩＤ５０５ａが付加されているキープアライブ信号５０７ａのゲートキーパー装置１１０に対する送信は継続するとともに、ゲートキーパー装置１１０に対して呼処理信号の送信を開始する（ステップｓ５１２）。
【００４２】
図１０は、第２の実施の形態における呼制御装置１００がゲートキーパー装置１１０に登録要求し、接続が確立した後、呼制御装置１００又はゲートキーパー装置１１０に異常が発生した場合、復旧した場合における処理の流れを示したフローチャートである。
【００４３】
以下，図１０を参照して説明する。接続確立後も呼制御装置１００は、ゲートキーパー装置１１０に対して第１の記憶装置１０１にあらかじめ登録されている信号の送信時間間隔情報の時間間隔で登録ＩＤ５０５ａ及び時間情報（タイムスタンプ）５０７ｔを付加したキープアライブ信号５０７ａの送信を継続する（ステップｓ５１４）。この後、障害発生等により呼制御装置１００が信号を時間情報（タイムスタンプ）５０７ｔにより制限された時間内に送信できなかった場合（ステップｓ５１５）、ゲートキーパー装置１１０は、第２の記憶装置１１１から呼制御装置１００の登録ＩＤを削除する（ステップｓ５１６）。呼制御装置１００は、障害が復旧した等で正常状態に戻った時、再度ゲートキーパー装置１１０に対し登録要求を送信する（ステップｓ５０１）。ゲートキーパー装置１１０は、登録ＩＤ５０５ａ及び時間情報（タイムスタンプ）５０７ｔを付加したキープアライブ信号５０７ａを時間情報（タイムスタンプ）５０７ｔ内に受信した場合（ステップｓ５１９）、受信した登録ＩＤ５０５ａを検索キーにして、第２の記憶装置１１１の検索を行う（ステップｓ５２０）。ゲートキーパー装置１１０は、検索した結果、該当登録ＩＤが検索できる場合には正常と判定し、検索結果が正常であることを示す応答信号５２１ａを呼制御装置１００へ送信する（ステップｓ５２１）とともに、自己の管理する登録タイマを初期化する（ステップｓ５２２）。ゲートキーパー装置１１０は、検索した結果、該当登録ＩＤが検索できない場合には異常と判定し、検索結果が異常であることを示す応答信号５２４ａを呼制御装置１００へ送信する（ステップｓ５２４）。呼制御装置１００は、応答信号５２４ａを受信した場合、ゲートキーパー装置１１０に対する呼処理信号の送信停止を行う（ステップｓ５２５）。さらに、呼制御装置１００又はゲートキーパー装置１１０は、通信状態に異常が発生したことをシステム保守端末に通知する（ステップｓ５２６）。その後、呼制御装置１００は、登録ＩＤ５０５ａ及び５０７ｔが付加されているキープアライブ信号５０７ａを、継続してあらかじめ定められた時間間隔で送信する（ステップｓ５２８）。呼制御装置１００より継続して送信されるキープアライブ信号５０７ａに対して、ゲートキーパー装置１１０は、記憶装置１１１に記憶保存された登録ＩＤの異常状態が継続する限り、検索結果が異常であることを示す応答信号５２４ａを送信することになるが、呼制御装置１００は、応答信号５２４ａが異常である限り、ゲートキーパー装置１１０に対する呼処理信号の送信を行わない。呼制御装置１００が継続的に登録ＩＤ５０５ａ及び５０７ｔを付加したキープアライブ信号５０７ａを送信している状態において、第２の記憶装置１１１に記憶保存された登録ＩＤに更新が加えられる（ステップｓ５２７）などして復旧した場合、ゲートキーパー装置１１０は、登録ＩＤ５０５ａが付加されているキープアライブ信号５０７ａを受信した後、キープアライブ信号５０７ａに付加されている登録ＩＤ５０５ａを検索キーにして、第２の記憶装置１１１の検索を行い（ステップｓ５２９）、検索した結果、該当登録ＩＤが検索できる場合には正常と判定し、検索結果が正常であることを示す応答信号５３０ａを呼制御装置１００へ送信する（ステップｓ５３０）。呼制御装置１００は、信号に対する応答信号５３０ａを受信した後、受信したゲートキーパー装置１１０に対する呼処理信号の送信開始を行う（ステップｓ５３１）。あわせて、呼制御装置１００又はゲートキーパー装置１１０は、登録ＩＤ５０５ａを付加したキープアライブ信号５０７ａに対する検索結果に変更が生じた旨をシステム保守端末に伝達する（ステップｓ５３２）。
【００４４】
前記ステップ（ステップｓ５０１）からステップ（ステップｓ５３２）を、それぞれ呼制御装置１００及びゲートキーパー装置を構成するコンピュータに実行させるプログラムによってその機能・処理が実現される。この場合、当該プログラムを記録した記憶媒体より該プログラムをそれぞれのコンピュータの主記憶装置にロードして実行することで本発明を実施することができる。
【００４５】
なお、第２の実施の形態での時間情報５０７ｔと登録ＩＤの削除条件の関係では、時間情報５０７ｔは、呼の接続を時間的に管理するためのパラメーターとして使用するものであり、キープアライブ信号の次の着信までの制限時間を意味する。例えば、時間情報５０７ｔをｍ分と登録しておけば、キープアライブ信号がｍ分以内に到達しなければ、ゲートキーパー装置１１０は、登録ＩＤを削除し、呼接続は終了する。
【００４６】
時間情報５０７ｔの用法は、必ずしも前述したものに限定されず、システムの構成に応じて、時間情報を呼制御装置１００のキープアライブ信号送信時間とし、前回のキープアライブ信号に含まれた時間情報と、ゲートキーパー装置１１０内部の時間情報（時間パラメーター値）との差が一定以上に達した場合を、登録ＩＤの削除条件としてもよいし、また、時間情報５０７ｔの長さ及び登録ＩＤの削除条件は固定したものである必要もなく、トラヒック状況等に応じて可変とすることもできる。
【００４７】
さらに本発明の第２の実施の形態においては、特にキープアライブ信号に時間情報が含まれていることにより、呼制御装置１００又は通信経路に障害が発生した場合に、ゲートキーパー装置１１０は時間により呼接続の解除を行わせることができ、呼の管理情報、課金情報等の不一致の発生を有効に防止できる。
【００４８】
【発明の効果】
以上説明したように、本発明によれば、呼制御装置による呼処理信号の送信・停止の時期が的確なものとなり、効率のよい通信システムを構築することができる、という効果を奏する。
その理由は、本発明においては、呼制御装置がゲートキーパー装置の管理する呼制御装置の登録情報等の状態を継続的に検知する手段を提供しているためである。
【００４９】
また本発明によれば、システム保守の点からも監視負担の少ないシステムを構築することができる、という効果を奏する。その理由は、本発明においては、キープアライブ信号に対する応答の変更を伝達する手段を備えることにより、呼接続の状態の変更が逐次伝達されるようにしたためである。
【００５０】
さらに本発明によれば、各処理手段の状態と時間情報の双方に基づいた呼接続の維持・解除機能を提供することができる、という効果を奏する。その理由は、本発明においては、呼制御装置が、キープアライブ信号に時間情報を付加し、ゲートキーパー側で、登録ＩＤの削除を管理するようにしたためである。
【図面の簡単な説明】
【図１】本発明の第１の実施の形態におけるネットワーク構成を示す図である。
【図２】本発明の第１の実施の形態における呼制御装置の構成を示すブロック図である。
【図３】本発明の第１の実施の形態におけるゲートキーパー装置の構成を示すブロック図である。
【図４】本発明の第１の実施の形態における運用開始から最初の接続までの呼制御装置とゲートキーパー装置間の処理の流れを示すフローチャートである。
【図５】本発明の第１の実施の形態における最初の接続後、異常の発生、復旧までの呼制御装置とゲートキーパー装置間の処理の流れを示すフローチャートである。
【図６】本発明の第１の実施の形態における呼登録が正常である時の作用のシーケンス図である。
【図７】本発明の第１の実施の形態における呼登録に異常が発生した時の作用のシーケンス図である。
【図８】本発明の第１の実施の形態におけるシステム復旧時の作用のシーケンス図である。
【図９】本発明の第２の実施の形態における運用開始から最初の接続までの呼制御装置とゲートキーパー装置間の処理の流れを示すフローチャートである。
【図１０】本発明の第２の実施の形態における最初の接続後、呼登録に異常が発生した時、復旧までの呼制御装置とゲートキーパー装置間の処理の流れを示すフローチャートである。
【図１１】本発明の第２の実施の形態におけるシステム正常時の作用のシーケンス図である。
【図１２】本発明の第２の実施の形態におけるゲートキーパー装置の構成を示すブロック図である。
【符号の説明】
１００  呼制御装置
１０１  第１の記憶装置
１０２  保守端末
１１０  ゲートキーパー装置
１１１  第２の記憶装置
１２０  端末装置
１００ａ、１１０ａ  記憶装置
１００ｂ、１１０ｂ  制御手段
１００ｃ、１１０ｃ  信号送信手段
１００ｄ、１１０ｄ  信号受信手段
１００ｅ、１１０ｅ  ネットワークインターフェイス
１１０ｆ  タイマ
５００    ネットワーク
【図１】
0003616580.tif 000002
【図２】
0003616580.tif 000003
【図３】
0003616580.tif 000004
【図４】
0003616580.tif 000005
【図５】
0003616580.tif 000006
【図６】
0003616580.tif 000007
【図７】
0003616580.tif 000008
【図８】
0003616580.tif 000009
【図９】
0003616580.tif 000010
【図１０】
0003616580.tif 000011
【図１１】
0003616580.tif 000012
【図１２】
0003616580.tif 000013